(57)【特許請求の範囲】
【請求項１】
被写体像を撮像して親画像を生成する撮像部と、
前記親画像を低解像度化または減色化して、子画像を生成する子画像生成部と、
ユーザ入力により選択された画像に対し、転送予定の設定を行う転送設定部と、
前記転送予定の設定された画像を選択して、外部転送先に転送する転送部とを備え、
前記子画像生成部は、前記転送予定の設定された前記親画像から前記子画像を生成する場合、その親画像の前記転送予定を解除し、その子画像に前記転送予定を設定する
ことを特徴とする電子カメラ。
【請求項２】
被写体像を撮像して親画像を生成する撮像部と、
前記親画像を低解像度化または減色化して、子画像を生成する子画像生成部と、
ユーザ入力により選択された画像に対し、転送予定の設定を行う転送設定部と、
前記転送予定の設定された画像を選択して、外部転送先に転送する転送部とを備え、
前記転送設定部は、前記ユーザー入力により選択された親画像に子画像が存在する場合、その親画像に前記転送予定を設定せず、その子画像に前記転送予定を設定する
ことを特徴とする電子カメラ。
【請求項３】
請求項１ないし請求項２のいずれか１項に記載の電子カメラにおいて、
ユーザー入力により選択された画像を消去する消去部を備え、
前記転送設定部は、前記親画像の消去に応じて、その親画像から生成された前記子画像を消去し、前記子画像の前記転送予定を解除する
ことを特徴とする電子カメラ。
【請求項４】
請求項１ないし請求項２のいずれか１項に記載の電子カメラにおいて、
ユーザー入力により選択された画像を消去する消去部を備え、
前記転送設定部は、前記転送予定の設定された前記子画像が消去された場合、前記子画像の生成元である前記親画像に対して前記転送予定の設定を行う
ことを特徴とする電子カメラ。
【請求項５】
請求項１ないし請求項４のいずれか１項に記載の電子カメラにおいて、
前記転送設定部は、プリント用の指定情報を有する前記親画像については、前記子画像の有無に拘わらず、前記親画像に前記転送予定を設定する
ことを特徴とする電子カメラ。
【発明の詳細な説明】
【０００１】
【発明の属する技術分野】
本発明は、電子カメラに関する。特に、本発明は、電子カメラ上において画像転送を行う際のユーザーインターフェースに関する。
【０００２】
【従来の技術】
近年、電子カメラの撮像画素数は、ますます増加する傾向にある。このような撮像画素数の増加に伴い、電子カメラ内で生成される画像のファイル容量は、圧縮後においても１Ｍバイト以上になる。
【０００３】
【発明が解決しようとする課題】
ところで、電子カメラで生成された画像は、パソコン、プリンタ、大容量記録装置、携帯電話、およびインターネット上の電子アルバムサーバーなどに随時出力される。
このような外部転送先に、例えば１コマ当たり１Ｍバイト以上の画像を転送する場合、転送時間が長くかかるといった問題が生じる。
【０００４】
また例えば、携帯電話などは、パソコンやプリンタなどに比べて、取り扱う画像の画素数が極端に少ない。そのため、携帯電話に対して、パソコンやプリンタと同程度の画素数で画像を転送した場合、携帯電話側で容量オーバーを生じるなど無駄が多い。
そのため、電子カメラ内において、容量を低減した子画像を適宜に生成し、この子画像を外部転送することが望まれる。この場合、電子カメラ内の記録部には、子画像と、その生成元である親画像とが混在することとなる。
【０００５】
これら親子画像は同一絵柄のため、ユーザーは、電子カメラの小さなモニタ画面上で親子画像とを明確に区別することが難しく、両者を的確に選別することが難しい。そのため、ユーザーが親画像と子画像とを取り違えて外部転送するなどの失敗が懸念される。
そこで、本発明は、上述したような問題点に鑑みて、転送する画像の選別操作を容易かつ正確にするユーザーインターフェース技術を提供することを目的とする。
【０００６】
【課題を解決するための手段】
上述した課題を解決するため、本発明は下記のように構成される。
【０００７】
《請求項１》
請求項１の電子カメラは、被写体像を撮像して親画像を生成する撮像部と、親画像を低解像度化または減色化して子画像を生成する子画像生成部と、ユーザ入力により選択された画像に対して転送予定の設定を行う転送設定部と、転送予定の設定された画像を選択して外部転送先に転送する転送部とを備え、子画像生成部は、転送予定の設定された親画像から子画像を生成する場合、その親画像の転送予定を解除し、その子画像に転送予定を設定することを特徴とする。
【０００８】
《請求項２》
請求項２の電子カメラは、被写体像を撮像して親画像を生成する撮像部と、親画像を低解像度化または減色化して、子画像を生成する子画像生成部と、ユーザ入力により選択された画像に対して転送予定の設定を行う転送設定部と、転送予定の設定された画像を選択して外部転送先に転送する転送部とを備え、転送設定部は、ユーザー入力により選択された親画像に子画像が存在する場合、その親画像に転送予定を設定せず、その子画像に転送予定を設定することを特徴とする。
【０００９】
《請求項３》
請求項３の電子カメラは、請求項１ないし請求項２のいずれか１項に記載の電子カメラにおいて、ユーザー入力により選択された画像を消去する消去部を備え、転送設定部は、親画像の消去に応じて、その親画像から生成された子画像を消去し、かつ子画像の転送予定を解除することを特徴とする。
【００１０】
《請求項４》
請求項４の電子カメラは、請求項１ないし請求項２のいずれか１項に記載の電子カメラにおいて、ユーザー入力により選択された画像を消去する消去部を備え、転送設定部は、転送予定の設定された子画像が消去された場合、その子画像の生成元である親画像に対して転送予定の設定を行うことを特徴とする。
【００１１】
《請求項５》
請求項５の電子カメラは、請求項１ないし請求項４のいずれか１項に記載の電子カメラにおいて、転送設定部は、プリント用の指定情報を有する親画像については、子画像の有無に拘わらず、親画像に転送予定を設定することを特徴とする。
【００１２】
【発明の実施の形態】
以下、図面に基づいて本発明にかかる実施形態を説明する。
本実施形態は、請求項１〜５の発明に対応する電子カメラの実施形態である。
【００１３】
［電子カメラの構成説明］
図１は、この電子カメラ１１の外観図である。なお、図１（ａ）は電子カメラ１１の上面図であり、図１（ｂ）は電子カメラ１１の背面図である。一方、図２は、電子カメラ１１の内部構成を説明するブロック図である。
以下、この図１および図２を参照して、電子カメラ１１の構成を説明する。
【００１４】
まず、電子カメラ１１には、撮影レンズ１２が装着される。この撮影レンズ１２の像空間には、撮像素子１３が配置される。この撮像素子１３は、タイミングジェネレータ１３ａにより制御され、被写体像を撮像する。この撮像素子１３で撮像された画像（すなわち親画像）は、画像処理部１４およびＡ／Ｄ変換部１５を介してデジタル化された後、デジタルシグナルプロセッサ（以下ＤＳＰ）１６に与えられる。このＤＳＰ１６は、データバス１７を介してバッファメモリ１８およびメモリカード１９に接続される。ＤＳＰ１６は、このバッファメモリ１８との間で画像データをやり取りしながら、親画像に２次元画像処理や画像圧縮処理などを施す。ＤＳＰ１６で処理された親画像は、ＥＸＩＦファイルの形式でメモリカード１９に記録される。
【００１５】
一方、上述したタイミングジェネレータ１３ａ、画像処理部１４、ＤＳＰ１６、バッファメモリ１８およびメモリカード１９は、制御用およびデータ転送用のシステムバス２０を介して、マイクロプロセッサ（以下ＭＰＵ）２１に接続される。
このＭＰＵ２１には、レリーズ釦２２、十字釦２３、メニュー釦２４、コマンドダイヤル２５、ズーム釦２６、表示切換釦２７、転送釦２８、子画像作成釦２９、確定キー２９ａ、および消去釦２９ｂが接続される。
【００１６】
なお、上述した十字釦２３は、上キー２３ａ、下キー２３ｂ、左キー２３ｃおよび右キー２３ｄからなる４方向キーから構成される。
また、上述したシステムバス２０には、フレームメモリ３０が接続される。このフレームメモリ３０内の画像データは、電子カメラ１１の背面に設けられた液晶表示部３１に表示される。
さらに、上述したシステムバス２０には、転送釦２８の操作により外部転送先に、転送予定の設定された画像を転送するインターフェース３２が接続される。
【００１７】
［発明との対応関係］
以下、発明と本実施形態との対応関係について説明する。なお、ここでの対応関係は、参考のために一解釈を例示するものであり、本発明を徒らに限定するものではない。
請求項記載の撮像部は、撮像素子１３、タイミングジェネレータ１３ａ、画像処理部１４、Ａ／Ｄ変換部１５およびＤＳＰ１６に対応する。
請求項記載の子画像生成部は、ＭＰＵ２１（あるいはＤＳＰ１６）の「子画像を生成する機能」に対応する。
請求項記載の転送設定部は、ＭＰＵ２１の「画像に転送予定を設定する機能」に対応する。
請求項記載の転送部は、インターフェース３２に対応する。
請求項記載の消去部は、ＭＰＵ２１の「メモリカード１９内の画像を消去する機能」に対応する。
【００１８】
［全画面表示モードにおけるユーザーインターフェース］
図３は、本実施形態における全画面表示モードの動作を説明する流れ図である。以下、図３のステップ番号に沿って、全画面表示モードの動作を説明する。
【００１９】
ステップＳ１：  まず、ユーザーは、電子カメラ１１のコマンドダイヤル２５を回して再生モードを選択する。さらに、ユーザーは、必要に応じて表示切換釦２７を操作し、全画面表示モードを選択する。
このように全画面表示モードが選択されると、ＭＰＵ２１は、全画面表示する画像のコマ番号を選ぶ。
例えば、撮像後であれば、ＭＰＵ２１は、最後のコマ番号（すなわち直前に撮影したコマ番号）を、全画面表示するコマ番号に選ぶ。
また例えば、再生後であれば、ＭＰＵ２１は、最後に再生したコマ番号を、全画面表示するコマ番号に選ぶ。
【００２０】
ステップＳ２：  ＭＰＵ２１は、選んだコマ番号とファイル名規則とに基づいて、選んだコマ番号に該当する親画像のファイル名を生成する。
例えば、ＭＰＵ２１は、親画像のファイル名規則が「DSCN****.jpg」の場合、通し番号「****」の箇所にコマ番号を挿入することにより、親画像のファイル名を生成する。
【００２１】
ステップＳ３：  ＭＰＵ２１は、生成したファイル名に基づいて、メモリカード１９から親画像の圧縮ファイルを読み出し、バッファメモリ１８に格納する。ＤＳＰ１６は、この圧縮ファイルを伸張後、液晶表示部３１の画面サイズに合わせて解像度変換し、フレームメモリ３０に格納する。液晶表示部３１は、このフレームメモリ３０内の親画像（モニタ画面の画面サイズに合わせて変換されたもの）を全画面表示する。
【００２２】
ステップＳ４：  このような全画面表示の状態で、ＭＰＵ２１は、ユーザーによる十字釦２３のキー操作を判定する。
ここで、ユーザーが、左キー２３ｃまたは右キー２３ｄを押した場合、ＭＰＵ２１はステップＳ５に動作を移行する。
また、ユーザーが、下キー２３ｂを押した場合、ＭＰＵ２１はステップＳ６に動作を移行する。
なお、その他の場合、ＭＰＵ２１はステップＳ８に動作を移行する。
【００２３】
ステップＳ５：  右キー２３ｄが押された場合、ＭＰＵ２１は、全画面表示するコマ番号を循環式に１つ進める。
一方、左キー２３ｃが押された場合、ＭＰＵ２１は、全画面表示するコマ番号を循環式に１つ戻す。
このようなコマ番号の変更の後、ＭＰＵ２１はステップＳ２に動作を戻す。
【００２４】
ステップＳ６：  ＭＰＵ２１は、表示中の親画像が、子画像を有するか否かを判定する。
例えば、ＭＰＵ２１は、子画像のファイル名規則が「SSCN****.jpg」の場合、親画像のファイル名の頭文字を「D」から「S」に変更して、子画像のファイル名を生成する。ＭＰＵ２１は、この子画像のファイル名をメモリカード１９内で探索することにより、親画像が子画像を有するか否かを判断する。
ここで、親画像が子画像を有する場合、ＭＰＵ２１はステップＳ７に動作を移行する。
一方、該当する子画像が存在しない場合、ＭＰＵ２１はステップＳ４に動作を戻す。
【００２５】
ステップＳ７：  ＭＰＵ２１は、表示中の親画像を元に作成された子画像をメモリカード１９から読み出す。ＭＰＵ２１は、図４に示すように、この子画像の表示４２を、親画像の全画面表示４１に重ねて表示する。このとき、ＭＰＵ２１は、この子画像の画像サイズを示すアイコン４３も併せて情報表示する。
なお、下キー２３ｂが複数回押された場合、ＭＰＵ２１は、複数の子画像を画像サイズの大きい順に順次表示する。図４は、このような動作により、複数の子画像が入れ子状の表示された状態を示している。
このような子画像の表示動作の後、ＭＰＵ２１はステップＳ４に動作を戻す。
【００２６】
ステップＳ８：  さらに、ＭＰＵ２１は、ユーザーによる別のキー操作を判定する。
ここで、ＭＰＵ２１が転送釦２８のキー操作を検知すると、ＭＰＵ２１はステップＳ９に動作を移行する。
また、ＭＰＵ２１が消去釦２９ｂのキー操作を検知すると、ＭＰＵ２１はステップＳ１３に動作を移行する。
なお、その他の場合、ＭＰＵ２１はステップＳ２１に動作を移行する。
【００２７】
ステップＳ９：  ＭＰＵ２１は、表示中の親画像が、子画像を有するか否かを判定する。
ここで、親画像が子画像を有する場合、ＭＰＵ２１はステップＳ１０に動作を移行する。
一方、該当する子画像が存在しない場合、ＭＰＵ２１はステップＳ１１に動作を移行する。
【００２８】
ステップＳ１０：  ＭＰＵ２１は、表示中の親画像がＤＰＯＦ（Digital Print Order Formatの略称）などに規定されるプリント用の指定情報（プリントするコマの指定、プリント枚数等）を有する否かを判定する。
ここで、表示中の親画像がプリント用の指定情報を有する場合、ＭＰＵ２１はステップＳ１１に動作を移行する。
一方、表示中の親画像がプリント用の指定情報を持たない場合、ＭＰＵ２１はステップＳ１２に動作を移行する。
【００２９】
ステップＳ１１：  ＭＰＵ２１は、表示中の親画像に対して、転送予定の設定を行う。例えば、この転送予定の設定は、ＭＰＵ２１が、画像ファイルのヘッダ等に、転送予定を示す情報を書き込むことによって行われる。また例えば、この転送予定の設定は、ＭＰＵ２１が内部メモリ上の転送予定リストに、画像の識別子（ファイル名など）を追加することによって行われる。
このような設定動作の後、ＭＰＵ２１はステップＳ４に動作を戻す。
【００３０】
ステップＳ１２：  ＭＰＵ２１は、表示中の親画像ではなく、その親画像が有する子画像に対して、転送予定の設定を行う。
このような設定動作の後、ＭＰＵ２１はステップＳ４に動作を戻す。
【００３１】
ステップＳ１３：  ＭＰＵ２１は、画面上に子画像が表示されているか否かを判定する。
ここで、図４に示すように、子画像が表示されている場合、ＭＰＵ２１は、ステップＳ１８に動作を移行する。
一方、画面上に親画像のみが表示されているような場合、ＭＰＵ２１はステップＳ１４に動作を移行する。
【００３２】
ステップＳ１４：  ＭＰＵ２１は、表示中の親画像をメモリカード１９内から消去する。
【００３３】
ステップＳ１５：  ＭＰＵ２１は、消去した親画像が、子画像を有していたか否かを判定する。
ここで、消去した親画像が子画像を有していた場合、ＭＰＵ２１はステップＳ１６に動作を移行する。
一方、消去した親画像が子画像を持っていなかった場合、ＭＰＵ２１はステップＳ１７に動作を移行する。
【００３４】
ステップＳ１６：  ＭＰＵ２１は、親画像が有していた子画像の消去を行う。さらに、ＭＰＵ２１は、この子画像に転送予定が設定されていた場合、転送予定の解除も行う。
なお、この転送予定の解除は、転送予定が画像ファイルのヘッダに情報設定されている場合、子画像のファイル消去によって同時に為される。また、転送予定が、ＭＰＵ２１の内部メモリ上の転送予定リストにより管理されている場合は、この転送予定リストから、該当する画像の識別子を除去することにより為される。
【００３５】
ステップＳ１７：  ＭＰＵ２１は、親画像の消去に伴って、表示する親画像のコマ番号を１つ戻す。その上で、ＭＰＵ２１は、ステップＳ２に動作を戻し、全画面表示を更新する。
【００３６】
ステップＳ１８：  ＭＰＵ２１は、画面の最前面に表示されている子画像に転送予定が設定されているか否かを判定する。
ここで、この子画像に転送予定が設定されている場合、ＭＰＵ２１はステップＳ１９に動作を移行する。
一方、この子画像に転送予定が設定されていない場合、ＭＰＵ２１はステップＳ２０に動作を移行する。
【００３７】
ステップＳ１９：  ＭＰＵ２１は、この子画像の生成元である親画像に対して、転送予定を設定する。なお、１つの親画像が複数の子画像を有する場合、ＭＰＵ２１は、最前面に表示されている子画像の次に大きな画像サイズの子画像に対して転送予定を設定する。
【００３８】
ステップＳ２０：  ＭＰＵ２１は、画面の最前面に表示されている子画像を、メモリカード１９内から消去する。さらに、ＭＰＵ２１は、この子画像に転送予定が設定されていた場合、この転送予定の解除も同時に行う。
このような動作の後、ＭＰＵ２１は、ステップＳ２に動作を戻し、全画面表示の更新を行う。
【００３９】
ステップＳ２１：  ＭＰＵ２１は、ユーザーによる子画像作成釦２９のキー操作を判定する。
ここで、ＭＰＵ２１が子画像作成釦２９のキー操作を検知すると、ＭＰＵ２１はステップＳ２２に動作を移行する。
一方、ＭＰＵ２１が子画像作成釦２９のキー操作を検知しない場合、ＭＰＵ２１はステップＳ４に動作を戻す。
【００４０】
ステップＳ２２：  ＭＰＵ２１は、現在表示中の親画像の圧縮ファイルをメモリカード１９から読み出し、バッファメモリ１８に格納する。ＤＳＰ１６は、この圧縮ファイルを伸張して親画像をバッファメモリ１８内に展開する。（なお、ステップＳ３における伸張画像がバッファメモリ１８内に残存している場合はこれを使用し、親画像の伸張動作を省略することが好ましい）
ＭＰＵ２１（あるいはＤＳＰ１６）は、このバッファメモリ１８内の親画像を解像度変換し、子画像を作成する。
ＤＳＰ１６は、この子画像を、親画像の圧縮率に拘わらず、例えば１／１６程度に圧縮する。
ＭＰＵ２１は、親画像のヘッダ情報をコピーして、子画像の圧縮データに付加し、ＥＸＩＦ形式の圧縮ファイルを生成する。
さらに、ＭＰＵ２１は、親画像のファイル名『ＤＳＣＮ＊＊＊＊.ｊｐｇ』の頭文字を、画像サイズに応じた文字（例えば『Ｓ』など）に置換して、子画像のファイル名とする。
ＭＰＵ２１は、このように完成した子画像のファイルを、メモリカード１９の親画像と同一のフォルダー内に記録する。
【００４１】
ステップＳ２３：  ＭＰＵ２１は、現在表示中の親画像に転送予定が設定されているか否かを判定する。
ここで、この親画像に転送予定が設定されている場合、ＭＰＵ２１はステップＳ２４に動作を移行する。
一方、この親画像に転送予定が設定されていない場合、ＭＰＵ２１はステップＳ４に動作を戻す。
【００４２】
ステップＳ２４：  ＭＰＵ２１は、現在表示中の親画像の転送予定を解除し、新たに作成した子画像に転送予定を設定する。
このような動作の後、ステップＳ４に動作を戻す。
以上説明した一連の動作により、全画面表示中の動作が実行される。
【００４３】
［サムネイル表示モードにおけるユーザーインターフェース］
図５は、サムネイル表示モードの動作を説明する流れ図である。
続いて、図５のステップ番号に沿って、サムネイル表示モードの動作を説明する。
【００４４】
ステップＳ４１：  まず、ユーザーは、電子カメラ１１のコマンドダイヤル２５を回して再生モードを選択する。さらに、ユーザーは、必要に応じて表示切換釦２７を操作し、サムネイル表示モードを選択する。
このようにサムネイル表示モードが選択されると、ＭＰＵ２１は、フォーカス位置（サムネイル表示される画像群の中でフォーカス選択される親画像のこと）のコマ番号を決定する。
例えば、撮像後であれば、ＭＰＵ２１は、最後のコマ番号（すなわち直前に撮影したコマ番号）を、フォーカス位置のコマ番号に選ぶ。
また例えば、再生後であれば、ＭＰＵ２１は、最後に再生したコマ番号を、フォーカス位置のコマ番号に選ぶ。
【００４５】
ステップＳ４２：  ＭＰＵ２１は、選んだコマ番号とファイル名規則とに基づいて、サムネイル表示する親画像群のファイル名を順次に生成する。
【００４６】
ステップＳ４３：  ＭＰＵ２１は、これらファイル名をメモリカード１９から探索し、各ファイルのヘッダ部分などに格納されるサムネイル画像を順次に読み出す。ＭＰＵ２１は、これらのサムネイル画像をフレームメモリ３０に格納して、図６に示すように、液晶表示部３１に一覧表示する。このとき、フォーカス位置の画像には、強調表示（図６に示す点線枠など）が為される。
【００４７】
ステップＳ４４：  ＭＰＵ２１は、画面上の親画像が子画像を有するか否かをファイル名規則に基づいて判定する。ＭＰＵ２１は、子画像を有する親画像については、図６に示すように、対応するサムネイル画像の上に「子画像有り」の情報を表示する。
【００４８】
ステップＳ４５：  ＭＰＵ２１は、このサムネイル表示の状態で、ユーザーによる十字釦２３のキー操作を判定する。
ここで、ユーザーにより下キー２３ｂが押された場合、ＭＰＵ２１はステップＳ４６に動作を移行する。
また、ユーザーにより左キー２３ｃまたは右キー２３ｄが押された場合、ＭＰＵ２１はステップＳ４７に動作を移行する。
なお、その他の場合、ＭＰＵ２１はステップＳ４９に動作を移行する。
【００４９】
ステップＳ４６：  ＭＰＵ２１は、フォーカス位置の親画像について子画像を探索し、この子画像の画像サイズを、フォーカス位置のサムネイル画像の上に情報表示する（図６参照）。
なお、フォーカス位置の親画像が複数の子画像を有する場合、ＭＰＵ２１は、下キー２３ｂが押されるたびに、子画像の画像サイズを降順に表示する。
このような動作の後に、ＭＰＵ２１はステップＳ４５に動作を戻す。
【００５０】
ステップＳ４７：  右キー２３ｄが押された場合、ＭＰＵ２１はフォーカス位置を１つ進める。
一方、左キー２３ｃが押された場合、ＭＰＵ２１は、フォーカス位置を１つ戻す。
【００５１】
ステップＳ４８：  このようなフォーカス位置の移動に伴って、ＭＰＵ２１は、フォーカス位置が画面内に留まるように、サムネイル画面のスクロール移動を実行する。
このような動作の後、ＭＰＵ２１はステップＳ４５に動作を戻す。
【００５２】
ステップＳ４９：  さらに、ＭＰＵ２１は、ユーザーによる別のキー操作を判定する。
ここで、ＭＰＵ２１が子画像作成釦２９のキー操作を検知すると、ＭＰＵ２１はステップＳ５０に動作を移行する。
また、ＭＰＵ２１が消去釦２９ｂのキー操作を検知すると、ＭＰＵ２１はステップＳ５１に動作を移行する。
なお、その他の場合、ＭＰＵ２１はステップＳ５２に動作を移行する。
【００５３】
ステップＳ５０：  このように子画像作成釦２９が押された場合、ＭＰＵ２１は、フォーカス位置のサムネイル画像の上に、子画像の作成予定マークを表示する。さらに、ＭＰＵ２１は、このフォーカス位置のコマ番号を、内部メモリ上に作成される子画像作成の予定リストに追加する。このような動作の後、ＭＰＵ２１はステップＳ４５に動作を戻す。
【００５４】
ステップＳ５１：  ここで、消去釦２９ｂが押された場合、ＭＰＵ２１は、フォーカス位置のサムネイル画像の上に、子画像の消去予定マークを表示する。さらに、ＭＰＵ２１は、このフォーカス位置のコマ番号を、内部メモリ上に作成される子画像消去の予定リストに追加する。このような動作の後、ＭＰＵ２１はステップＳ４５に動作を戻す。
【００５５】
ステップＳ５２：  さらに、ＭＰＵ２１は、ユーザーによる別のキー操作を判定する。
ここで、ＭＰＵ２１が転送釦２８のキー操作を検知すると、ＭＰＵ２１はステップＳ５３に動作を移行する。
また、ＭＰＵ２１が確定キー２９ａのキー操作を検知すると、ＭＰＵ２１はステップＳ５７に動作を移行する。
なお、その他の場合、ＭＰＵ２１はステップＳ４５に動作を戻す。
【００５６】
ステップＳ５３：  ＭＰＵ２１は、フォーカス位置の親画像が、子画像を有するか否かを判定する。
ここで、親画像が子画像を有する場合、ＭＰＵ２１はステップＳ５４に動作を移行する。
一方、該当する子画像が存在しない場合、ＭＰＵ２１はステップＳ５５に動作を移行する。
【００５７】
ステップＳ５４：  ＭＰＵ２１は、フォーカス位置の親画像がＤＰＯＦ（Digital Print Order Formatの略称）などに規定されるプリント用の指定情報（プリントするコマの指定、プリント枚数等）を有する否かを判定する。
ここで、親画像がプリント用の指定情報を有する場合、ＭＰＵ２１はステップＳ５５に動作を移行する。
一方、表示中の親画像がプリント用の指定情報を持たない場合、ＭＰＵ２１はステップＳ５６に動作を移行する。
【００５８】
ステップＳ５５：  ＭＰＵ２１は、フォーカス位置の親画像に対して、転送予定を設定する。
このような設定動作の後、ＭＰＵ２１はステップＳ４５に動作を戻す。
【００５９】
ステップＳ５６：  ＭＰＵ２１は、フォーカス位置の親画像ではなく、その親画像が有する子画像に対して、転送予定を設定する。
このような設定動作の後、ＭＰＵ２１はステップＳ４５に動作を戻す。
【００６０】
ステップＳ５７：  ＭＰＵ２１は、子画像の削除予定マーク付きの親画像（子画像作成の予定リストに載っている親画像）を選択し、子画像と共に消去する。なお、子画像が転送予定を有する場合、ＭＰＵ２１は、この転送予定の解除も行う。
【００６１】
ステップＳ５８：  ＭＰＵ２１は、子画像の作成予定マーク付きの親画像（子画像作成の予定リストに載っている親画像）を選択して子画像を順次に作成し、メモリカード１９に順次記録する。なお、親画像が転送予定を有する場合、ＭＰＵ２１は、親画像の転送予定を解除し、新たに作成した子画像に転送予定を設定する。
このような動作の後、ＭＰＵ２１は、ステップＳ４５に動作を戻す。
以上説明した一連の動作により、サムネイル表示中の動作が実行される。
【００６２】
［画像の転送動作の説明］
次に、電子カメラ１１による画像の転送動作について概略説明する。
まず、ユーザーは、電子カメラ１１のインターフェース３２と、外部転送先とを、適当な転送経路（ケーブル、無線ＬＡＮ、インターネット接続機器など）を介して接続する。
この状態で、ユーザーは、コマンドダイヤル２５を回して、電子カメラ１１を転送モードに設定する。
ＭＰＵ２１は、このような転送モードに応じて、転送釦２８のユーザー操作を待機する。ユーザーが転送釦２８を押すと、ＭＰＵ２１は、転送予定の設定された画像のファイルを選択し、所定のプロトコルに従って外部転送先に転送する。
【００６３】
［本実施形態の効果など］
以上説明したように、電子カメラ１１は、転送予定の設定された親画像から子画像を生成するに際して、その親画像の転送予定を解除し、かつその子画像に転送予定を設定する（図３中のステップＳ２２〜２４、図５中のステップＳ５８を参照）。
【００６４】
したがって、ユーザーは、▲１▼親画像に転送予定を設定する、▲２▼親画像から子画像を生成する、といった二段階の操作により、親画像や子画像に自由に転送予定を割り振ることが可能になる。
また、電子カメラ１１は、転送予定を設定する親画像が子画像を有する場合、その親画像に転送予定を設定せず、子画像に転送予定を設定する（図３中のステップＳ９〜Ｓ１２、図５中のステップＳ５３〜５６を参照）。
【００６５】
したがって、ユーザーは、▲３▼親画像から子画像を生成する、▲４▼親画像に転送予定を設定する、といった二段階の操作により、親画像や子画像に自由に転送予定を割り振ることが可能になる。
これらの操作はいずれも親画像を操作対象とするので、ユーザーは、子画像を処理しているにも拘わらず、子画像を直接的に取り扱う必要がない。したがって、ユーザーは、親画像に対する操作を中心にして、転送予定の設定を直感的かつ分かりやすく実行することが可能になる。
【００６６】
さらに、本実施形態では、親画像の消去に対応して、その親画像から生成された子画像を消去し、更に、その子画像の転送予定も解除する（図３中のステップＳ１４〜Ｓ１６、図５中のステップＳ５７を参照）。したがって、親画像を消去するという１つの操作で、子画像の転送予定を解除し、かつ子画像を消去することが一度に可能になる。その結果、メモリカード１９内の不要な画像ファイルをより簡単に消去・整理することが可能になる。
【００６７】
また、本実施形態では、転送予定の設定された子画像が消去された場合、子画像の生成元である親画像に転送予定を戻す（図３中のステップＳ１８〜２０参照）。したがって、ユーザーが、転送予定付きの子画像ではなく親画像を転送しようとした場合、その子画像を消去するだけでよい。この場合、親画像に転送予定を改めて設定する必要がなく、電子カメラ１１の操作をより簡単に済ますことが可能になる。
【００６８】
さらに、本実施形態では、プリント用の指定情報（例えば、プリント枚数、プリントサイズ、プリント時に参考にする画像処理情報など）を有する親画像については、子画像の有無に拘わらず、親画像に転送予定を設定する（図３中のステップＳ１０〜Ｓ１１，図５中のステップＳ５４〜Ｓ５５参照）。
通常、プリント用途では、画質の観点から、容量削減された子画像よりも、画像情報の豊かな親画像の方が適している。そこで、親画像がプリント用の指定情報を有する場合には、たとえ子画像が存在しても、親画像に転送予定を優先的に設定する。その結果、外部転送先のプリント用途において、プリント画質を確実に高めることが可能になる。
【００６９】
《実施形態の補足事項》
なお、上述した実施形態では、親画像を低解像度化して子画像を生成している。しかしながら、本発明はこれに限定されるものではない。例えば、親画像を減色して子画像を生成してもよい。
【００７０】
また、上述した実施形態では、ファイル名規則を用いて、親画像と子画像とを区別している。しかしながら、本発明はこれに限定されるものではない。例えば、画像ファイルを格納するフォルダー、ファイルのヘッダ情報、ファイル管理情報、または画像サイズなどを利用して、親画像と子画像とを区別してもよい。
【００７１】
【発明の効果】
《請求項１》
請求項１の電子カメラは、転送予定の設定された親画像から子画像を生成する場合、その親画像の転送予定を解除し、その子画像に転送予定を設定する。
その結果、ユーザーは、下記の手順▲１▼▲２▼を駆使することで、転送する画像を自在に選別することが可能になる。
▲１▼ユーザーは、転送すべき画像を親画像の中から選び、親画像にとりあえず転送予定を設定する。
▲２▼その後、ユーザーは、容量削減した状態で転送する親画像を選択し、子画像を生成する。
このとき、手順▲２▼において生成される子画像には、電子カメラによって、親画像の転送予定が移される。
一方、手順▲２▼において子画像の生成されなかった親画像には、転送予定の設定がそのまま残存する。
このように手順▲１▼▲２▼を駆使することにより、ユーザーは、親画像と子画像に対して、適宜に転送予定を割り振ることが可能になる。
特に、このような手順▲１▼▲２▼は、いずれも親画像を操作対象とする。したがって、ユーザーは、これら操作に当たって子画像を特に意識する必要がなく、親画像を中心とする直感的かつ分かりやすい操作で、転送予定の割り振りを行うことが可能になる。
【００７２】
《請求項２》
請求項２の電子カメラは、転送予定を設定する親画像に子画像が存在する場合、親画像に対しては転送予定を設定せず、その子画像に対して転送予定を設定する。
その結果、ユーザーは、下記の手順▲３▼▲４▼を駆使することで、転送する画像を自在に選別することが可能になる。
▲３▼ユーザーは、容量削減した状態で転送する親画像を選択し、とりあえず子画像を生成する。
▲４▼その後、ユーザーは、転送すべき画像を親画像の中から選び、親画像に転送予定を設定する。
このとき、手順▲３▼で生成される子画像には、電子カメラにより、手順▲４▼の段階で親画像の転送予定が移される。
一方、手順▲３▼において子画像の生成されなかった親画像には、転送予定の設定がそのまま残存する。
このように手順▲３▼▲４▼を駆使することにより、ユーザーは、親画像と子画像に対して、適宜に転送予定を割り振ることが可能になる。
特に、このような手順▲３▼▲４▼は、いずれも親画像を操作対象とする。したがって、ユーザーは、これら操作に当たって子画像を特に意識する必要がなく、親画像を中心とする直感的かつ分かりやすい操作で、転送予定の割り振りを行うことが可能になる。
【００７３】
なお、請求項１および請求項２の発明を併せて実施することが更に好ましい。この場合、ユーザーは、上述した手順▲１▼▲２▼と手順▲３▼▲４▼のどちらを実行しても構わなくなる。ところで、上記の手順▲１▼▲２▼を逆順に実行することは、手順▲３▼▲４▼を実行することに等しい。すなわち、請求項１および請求項２を併せて実施することにより、ユーザーは、上述した手順▲１▼▲２▼を自由な順番で実行することが可能になる。したがって、ユーザーは、操作順を意識することなく、親子画像に対する転送予定の設定をより自由に行える。
【００７４】
《請求項３》
請求項３の電子カメラは、親画像の消去に対応して、その親画像から生成された子画像を消去し、更に、その子画像の転送予定を解除する。
この場合、ユーザーは、親画像が消去された後で、残った子画像の転送予定を改めて解除する等の手間が不要になり、電子カメラの操作をより簡単に済ますことが可能になる。
【００７５】
《請求項４》
請求項４の電子カメラは、転送予定の設定された子画像が消去された場合、子画像の生成元である親画像に対して転送予定を設定する。
したがって、ユーザーは、子画像から親画像に転送予定を戻したい場合、転送予定から外れて不要になる子画像をまず消去すればよい。この動作を契機にして、電子カメラは、子画像から親画像へ転送予定を移す。したがって、ユーザーは、転送予定の移動を明示的に行う必要がなく、電子カメラの操作をより簡単に済ますことが可能になる。
【００７６】
《請求項５》
請求項５の電子カメラは、プリント用の指定情報を有する親画像については、子画像の有無に拘わらず、親画像に転送予定を設定する。
この種のプリント用の指定情報を有する親画像は、外部転送先においてプリント用途に使用される確率が高い。このようなプリント用途では、画質の観点から、容量削減された子画像よりも、画像情報量の豊かな親画像の方が好ましい。そこで、上記のように、プリント用の指定情報を有する親画像に転送予定を設定することにより、外部転送先におけるプリント画質を確実に高めることが可能になる。
【図面の簡単な説明】
【図１】電子カメラ１１の外観図である。
【図２】電子カメラ１１の内部構成を説明するブロック図である。
【図３】全画面表示モードの動作を説明する流れ図である。
【図４】全画面表示を示すモニタ上の中間調画像の写真である。
【図５】サムネイル表示モードの動作を説明する流れ図である。
【図６】サムネイル表示を示す図である。
【符号の説明】
１１  電子カメラ
１２  撮影レンズ
１３  撮像素子
１３ａ  タイミングジェネレータ
１４  画像処理部
１５  Ａ／Ｄ変換部
１６  ＤＳＰ
１７  データバス
１８  バッファメモリ
１９  メモリカード
２０  システムバス
２１  ＭＰＵ
２２  レリーズ釦
２３  十字釦
２３ａ  上キー
２３ｂ  下キー
２３ｃ  左キー
２３ｄ  右キー
２４  メニュー釦
２５  コマンドダイヤル
２６  ズーム釦
２７  表示切換釦
２８  転送釦
２９  子画像作成釦
２９ａ  確定キー
２９ｂ  消去釦
３０  フレームメモリ
３１  液晶表示部
３２  インターフェース
【図１】
0004608825.tif 000002
【図２】
0004608825.tif 000003
【図３】
0004608825.tif 000004
【図４】
0004608825.tif 000005
【図５】
0004608825.tif 000006
【図６】
0004608825.tif 000007